(57)【要約】  本発明は、柔軟ロープ（１８）の保持用に複数の保持エレメント（３ａ〜３ｃ）を有したベースボディ（２）を備え、柔軟ロープ（１８）を用いてトランポリン（１９）のフレーム（１６）にジャンピングマット（１５）を張るためのテンショニングエレメント（１）に関する。本発明は、マットの可変張り調整を可能にするために、柔軟ロープを１つ又は複数の保持エレメント（３ａ〜３ｃ）に掛けられるように複数の保持エレメント（３ａ〜３ｃ）をベースボディ（２）の同一面側に備えることを提案する。【選択図】図４
2016534849.tif 000002
【特許請求の範囲】
【請求項１】
フレーム（１６）からテンショニングエレメント（１）へ、そして再び該フレーム（１６）へとループ（２１ａ、２１ｂ）状に導かれる柔軟ロープ（１８）を用いたトランポリン（１９）の該フレーム（１６）にジャンピングマット（１５）を張るためのものであり、該テンショニングエレメント（１）が、該柔軟ロープ（１８）の保持用に複数の保持エレメント（３ａ〜３ｃ）を有したベースボディ（２）を備え、該保持エレメント（３ａ〜３ｃ）が、該柔軟ロープ（１８）が各サイズの該ループ（２１ａ、２１ｂ）で該フレーム（１６）から該テンショニングエレメント（１）へと少なくとも１つの該保持エレメント（３ａ〜３ｃ）を介して再び該フレーム（１６）へ施工することができるように該テンショニングエレメント（１）に配列されるテンショニングエレメント（１）であって、
該柔軟ロープ（１８）の保持に少なくとも３つの該保持エレメント（３ａ〜３ｃ）を有し、３つの該保持エレメント（３ａ〜３ｃ）が、三角形状に配列されることを特徴とする、テンショニングエレメント（１）。
【請求項２】
張り状態において、少なくとも１つの前記保持エレメント（３ａ〜３ｃ）が、第２の保持エレメント（３ａ〜３ｃ）よりも前記フレーム（１６）により近く配列されていることを特徴とする、請求項１に記載のテンショニングエレメント（１）。
【請求項３】
前記張り状態において、少なくとも２つの前記保持エレメント（３ａ〜３ｃ）が、前記フレーム（１６）に対して同間隔に配列されていることを特徴とする、請求項１又は２に記載のテンショニングエレメント（１）。
【請求項４】
複数の前記保持エレメント（３ａ〜３ｃ）が、前記ベースボディ（２）の同一面上に配列されていることを特徴とする、請求項１〜３のいずれか一項に記載のテンショニングエレメント（１）。
【請求項５】
前記柔軟ロープ（１８）を１つ又は複数の前記保持エレメント（３ａ〜３ｃ）に掛けることが可能なように、前記保持エレメント（３ａ〜３ｃ）が、前記ベースボディ（２）に配列されていることを特徴とする、請求項１〜４のいずれか一項に記載のテンショニングエレメント（１）。
【請求項６】
前記保持エレメント（３ａ〜３ｃ）が、前記ベースボディ（２）の両面上に配列されていることを特徴とする、請求項１〜５のいずれか一項に記載のテンショニングエレメント（１）。
【請求項７】
少なくとも１つの前記保持エレメント（３ａ〜３ｃ）が、より小さな断面を有する部分（８）を備え、該部分（８）には、張り状態時に前記柔軟ロープ（１８）が掛けられ、他の部分（７）は、より大きな断面を有して前記保持エレメント（３ａ〜３ｃ）からの前記柔軟ロープ（１８）の脱落を阻止することを特徴とする、請求項１〜６のいずれか一項に記載のテンショニングエレメント（１）。
【請求項８】
前記ベースボディ（２）がプレート形状を成すことを特徴とする、請求項１〜７のいずれか一項に記載のテンショニングエレメント（１）。
【請求項９】
少なくとも１つの前記保持エレメント（３ａ〜３ｃ）が、脱着可能に前記ベースボディ（２）に固定されていることを特徴とする、請求項１〜８のいずれか一項に記載のテンショニングエレメント（１）。
【請求項１０】
前記ジャンピングマット（１５）での固定用の手段（５、６）を備えていることを特徴とする、請求項１〜９のいずれか一項に記載のテンショニングエレメント（１）。
【請求項１１】
前記固定手段（５、６）が、ピン（１７）の受け止め用に各１個の開口（６）を有する２個のエクステンション（５）を備えていることを特徴とする、請求項１０に記載のテンショニングエレメント（１）。
【請求項１２】
前記テンショニングエレメント（１）が前記ジャンピングマット（１５）に固定される場合に、前記保持エレメント（３ａ〜３ｃ）の長軸が、前記柔軟ロープ（１８）の牽引力に対して直角になる様に、前記固定手段（５、６）が配置されることを特徴とする、請求項１０又は１１に記載のテンショニングエレメント（１）。
【請求項１３】
前記フレーム（１６）及び前記ジャンピングマット（１５）を備えたトランポリン（１９）であって、請求項１〜１２のいずれか一項に記載の少なくとも１つの前記テンショニングエレメント（１）を備えていることを特徴とする、トランポリン（１９）。
【請求項１４】
請求項１３に記載のトランポリン（１９）であって、それぞれ複数の前記テンショニングエレメント（１）に掛けられる複数の部分ロープ（１８）を通してジャンピングマットが張られることを特徴とする、トランポリン（１９）。
【発明の詳細な説明】
【技術分野】
【０００１】
本発明は、柔軟ロープを用いたジャンピングマットをトランポリンフレームに張るためのテンショニングエレメントに関する。
【背景技術】
【０００２】
以下の項目に関するトランポリンの既知の技術水準から、ベースフレームは、環状フレームと、フレーム内に柔軟に懸架されるジャンピングマットと、から実質的に構成される。既知のトランポリンでは、ジャンピングマットの柔軟な懸架装置には、スプリング又はラバーロープが投入されている。ラバーロープ懸架装置には、通常、身体のソフトな制動を行う高い柔軟性があるため、より緩衝性の高いジャンプ感覚が得られる。それに対し、スプリング懸架装置は、多くの場合、硬めである。
【０００３】
ＤＥ  ２９９  １９  ９１２  Ｕ１に基づくトランポリンには、ジャンピングマットが唯一の柔軟ロープでフレームに張られていることが知られている。ロープは、その際、トランポリンフレームに交互に導かれ、ジャンピングマット下部にあるループを通して固定される。しかしながら、かかる懸架装置では、ロープが千切れた場合などにロープ一式を交換しなければならない。
【０００４】
ＤＥ  １０  ２００６  ０２８  ３６３  Ｂ３に基づくトランポリンでは、フック形状のテンショニングエレメントと柔軟リングとを用いて、ジャンピングマットをフレームに懸架する。フック状のテンショニングエレメントは、それぞれ２つの連結部分を有し、その連結部分は、一方が上部、他方が下部に配列されている。柔軟リングは、この場合、いずれか一方の連結部分に掛けられ、他方の連結部分は、フレームの全周に亘って吊り固定される。ジャンピングマットの張力は、この場合、比較的緩やかである。柔軟リングは、すべて同一のサイズであるため、ジャンピングマットは、必然的にフレームの中央に位置付けられる。
【０００５】
ＤＥ  ２５  ０４  ８７５  Ａ１では、フレームからテンショニングエレメントへ、そしてフレームへ戻るループ状に連結される柔軟ロープを用いたトランポリンフレームにジャンピングマットを張るためのテンショニングエレメントが公開されており、テンショニングエレメントは、柔軟ロープの保持用に複数の保持エレメントを有するベースボディを備え、保持エレメントは、柔軟ロープがフレームとテンショニングエレメントとの間で別途サイズのループを選択可能なように配列される。しかしながら、既知のテンショニングエレメントは、複数のロープエンドの固定可能性を提供していない。
【０００６】
その他のテンショニングエレメントは、ＷＯ２０１１／０３２１７３  Ａ２又はＤＥ１０２  ２６  ７０７  Ａ１で公開されている。
【０００７】
従来技術に基づくテンショニングエレメントは、例えば、体重に合わせた又は多少の緩衝されたジャンプ特性の保持用のジャンピングマットの張力可変が可能であるが、それと同時に複数のロープエンドを懸架することができない。
【発明の概要】
【発明が解決しようとする課題】
【０００８】
したがって、本発明の課題は、トランポリンフレームにジャンピングマットを張るための、ジャンピングマットの張力調整が可能であり、かつ複数のロープエンドを固定することのできる、テンショニングエレメントを製造することです。
【課題を解決するための手段】
【０００９】
本課題は、本発明に基づいて、独立特許請求に提示の特徴を通して解決される。発明のその他の詳細は、従属請求項に記載する。
【００１０】
本発明に基づいて、柔軟ロープの保持用に少なくとも３つの保持エレメントを有するベースボディを備え、これら３つの保持エレメントが三角形状に配置されるトランポリンフレームでのジャンピングマットの張力用テンショニングエレメントが提案される。それによって柔軟ロープは、各サイズ（長／短）のループに適合してフレームとテンショニングエレメントとの間を強／弱可変の張力で連結することができる。ジャンピングマットの張り具合は、それによって工具なしで簡単に変更することができる。更に、空きの保持エレメントには、各種のロープエンドを掛けることができる。
【００１１】
本発明の実施形態に基づいて、テンショニングエレメントがジャンピングマットに固定される観点から、少なくとも２つの保持エレメントが同程度の間隔に配置される。この実施形態において、ロープは、単一又は複数の保持エレメントに掛けることができ、それによってロープ張力を可変することができる。
【００１２】
代替又は追加として、少なくとも１つの保持エレメントを、第２の保持エレメントよりもフレームに近く配置することもできる。配置バリエーションの混合形式もまた、同様に可能である。柔軟ロープは、それによって保持エレメントに２０種類もの方法で固定することができ、ジャンピングマットの張り具合を多様に可変することができる。
【００１３】
基本的に、保持エレメントは、ベースボディの両面に設置することができる。本発明の実施形態に基づいて、複数の又は必要に応じてすべての保持エレメントを一方の面、例えば、ベースボディの上面又は下面、に設置することもできる。テンショニングエレメントの一面に複数の保持エレメントがある場合、柔軟ロープを、第１、第２、又は複数の保持エレメントに掛けることができる。ロープの通し方に応じて、ジャンピングマットの張り具合を強弱に調整することができる。柔軟ロープのループは、この場合、１つ又は複数の保持エレメントに掛けることができる。
【００１４】
他の実施形態に基づいて、保持エレメントは、裏面にも配置することができる。第１の面に配置されている第１の保持エレメントは、その場合、他の面に配置される第２の保持エレメントよりも、好ましくは、フレームにより近く配置される。柔軟ロープは、それによって、第１又は第２のいずれかの保持エレメントに掛けることができ、ジャンピングマットの張り具合を可変することができる。例えば、第１の面を、テンショニングエレメント上部とし、他の面を下部とすることができる。
【００１５】
テンショニングエレメントの保持エレメントは、例えば、柱状に構成することができる。保持エレメントは、好ましくはテンショニングエレメントのベースボディ端部に固定される。他の端部は、好ましくは、自由端である。
【００１６】
保持エレメントの中央部は、端部よりも幾分小さめの断面を有する。それによって柔軟ロープは、張り状態で良好に保持される。保持エレメントの幅広な自由端は、保持エレメントからのロープの脱落を阻止する。
【００１７】
本発明の好ましい実施形態に基づいて、少なくとも１つの保持エレメントがベースボディと一体形成される。テンショニングエレメントは、それによって容易に合成樹脂、例えばダイカスト部品、として製造することができる。
【００１８】
本発明の特殊な実施形態に基づいて、保持エレメントは、好ましくは平行軸に沿って配置される。複数の保持エレメントは、異なる方向でも可能である。
【００１９】
保持エレメントは、好ましくは回転対称的に構成される。
【００２０】
本発明の好ましい実施形態に基づいて、テンショニングエレメントのベースボディは、プレート形状を構成する。
【００２１】
前述のように、保持エレメントは、好ましくはベースボディと一体形成される。本発明の特殊な実施形態に基づいて、１つ又は複数の保持エレメントも取外し可能なようにベースボディに固定される。保持エレメントの固定は、例えば、ねじ固定で行われる。本発明に基づいたテンショニングエレメントには、１つ又は複数の固定位置があり、保持エレメントをそれらの固定位置に取付けることができる。取外し可能な保持エレメントには、要求に応じてテンショニングエレメントを調整することのできる利点がある。
【００２２】
ジャンピングマットでのテンショニングエレメントの固定には、テンショニングエレメントに適合した固定手段が装備されている。この固定手段は、例えば、２つのエクステンションであり、それらには各１つの開口がピンの受入れ用に用意されている。ピンは、例えば、ジャンピングマットに付属のループに差し込まれ、テンショニングエレメントに固定される。その代替として、テンショニングエレメントにはラグも取付け可能であり、これは、例えば、ジャンピングマットに属するフックに掛けることができる。従来技術からは、その他各種の固定可能性が知られている。
【００２３】
すべての保持エレメントがベースボディの同一側にあるテンショニングエレメントの実施形態では、固定手段は、好ましくは、テンショニングエレメントがジャンピングマットに固定されている場合に保持エレメントの長軸が柔軟ロープの牽引力に対して直角となるように配列される。この場合、ジャンピングマットとの連結固定点には、捻じれが生じない。テンショニングエレメントがジャンピングマットと連結されるプレート状のベースボディの固定点は、直接ベースプレート面上ではなく、ロープの固定される保持部分の高さに幾分オフセットする。
【００２４】
保持エレメントがベースボディの裏面にもあるテンショニングエレメントの実施形態では、テンショニングエレメントがジャンピングマットと連結されている固定点は、好ましくは、背面同士で配列されている２つの保持エレメントの保持部分間の真中央に位置する。
【００２５】
本発明は、最終的に、ジャンピングマットが、通しロープ又は複数の部分ロープで柔軟に懸架されたフレーム付きのトランポリンに関する。トランポリンには、好ましくは１つ又は複数の、前述のテンショニングエレメントが含まれる。ジャンピングマットが複数の部分ロープで懸架される場合、各部分ロープは、好ましくは複数のテンショニングエレメント、例えば、３つ又は４つのテンショニングエレメント、に掛けられる。他の部分ロープも同様である。
【図面の簡単な説明】
【００２６】
本発明は、以下に示す添付図面によってより詳しく説明される。
【００２７】
【図１ａ】図１ａは、本発明の一実施形態に基づく、３つの保持エレメントを備えたテンショニングエレメントの概観図である。
【図１ｂ】図１ｂは、本発明の一実施形態に基づく、３つの保持エレメントを備えたテンショニングエレメントの概観図である。
【図１ｃ】図１ｃは、本発明の一実施形態に基づく、３つの保持エレメントを備えたテンショニングエレメントの概観図である。
【図１ｄ】図１ｄは、本発明の一実施形態に基づく、３つの保持エレメントを備えたテンショニングエレメントの概観図である。
【図２ａ】図２ａは、本発明の一実施形態に基づく、２つの保持エレメントを備えたテンショニングエレメントの概観図である。
【図２ｂ】図２ｂは、本発明の一実施形態に基づく、２つの保持エレメントを備えたテンショニングエレメントの概観図である。
【図２ｃ】図２ｃは、本発明の一実施形態に基づく、２つの保持エレメントを備えたテンショニングエレメントの概観図である。
【図２ｄ】図２ｄは、本発明の一実施形態に基づく、２つの保持エレメントを備えたテンショニングエレメントの概観図である。
【図３ａ】図３ａは、テンショニングエレメントに取付けられる、脱着可能な保持エレメントの概観図である。
【図３ｂ】図３ｂは、テンショニングエレメントに取付けられる、脱着可能な保持エレメントの概観図である。
【図３ｃ】図３ｃは、テンショニングエレメントに取付けられる、脱着可能な保持エレメントの概観図である。
【図３ｄ】図３ｄは、テンショニングエレメントに取付けられる、脱着可能な保持エレメントの概観図である。
【図４】図４は、柔軟ロープを図１ａ〜１ｄ及び図２ａ〜２ｄの保持エレメントに掛けることのできる各ロープ仕様バリエーションの図である。
【図５ａ】図５ａは、保持エレメントがテンショニングエレメントの複数の面に配列されている、その他の実施形態の図である。
【図５ｂ】図５ｂは、保持エレメントがテンショニングエレメントの複数の面に配列されている、その他の実施形態の図である。
【発明を実施するための形態】
【００２８】
図１ａ〜１ｄは、柔軟ロープ（１８）を用いたトランポリン（１９）のフレーム（１６）にジャンピングマット（１５）を張るための、テンショニングエレメント（１）の概観図である。テンショニングエレメント（１）は、この実施形態において、３つの保持エレメント（３ａ、３ｂ）を備えたプレート形状のベースボディ（２）で構成される。保持エレメント（３ａ、３ｂ）は、その際、トライアングル構成、つまり正三角形状に配列される。この配列では、柔軟ロープ（１８）は、唯一の保持エレメント、例えば保持エレメント（３ｂ）、又は複数の保持エレメント、例えば保持エレメント（３ａ、３ｂ）、に掛けることができる。
【００２９】
柔軟ロープ（１８）が保持エレメント（３ｂ）に掛けられると、ジャンピングマットの張力は、幾分弱くなり、柔軟ロープ（１８）が１つ又は複数の保持エレメント（３ａ）に掛けられると、ジャンピングマット（１５）は、より強く張る。マットの張力を変えるには、ユーザは、ロープの通し方を変えるだけでよい。これはとても簡単で、誰でも工具なしに行うことができる。
【００３０】
図示した実施形態の例では、すべての保持エレメント（３ａ、３ｂ）がベースボディの同一面側にある。理論的には、テンショニングエレメント（１）の他の面にも同じように１つ又は複数の保持エレメント（３ａ、３ｂ）を取付けることができる。保持エレメント（３ａ、３ｂ）は、ここでは柱状に構築されており、柔軟ロープが掛けられる中央部分（８）は、幾分小さな断面となっている。それに対し、それらの自由端（７）では、断面が大きく、ロープが保持エレメントから脱落するのを抑止する。個々の保持エレメント（３ａ、３ｂ）は、基本的にシリンダー形状である。
【００３１】
両保持エレメント（３ａ）は、ここではベースボディ（２）と一体形成される。部品全体は、それによって容易に合成樹脂、例えばダイカスト部品、として製造することができる。それに対し、保持エレメント（３ｂ）は、脱着可能なようにベースボディ（２）にボルト固定される。この目的のために、保持エレメント（３ｂ）には、自由端（７）に六角ナット用の開口（９）と通し開口（１０）とがあり、これを通してボルトを下から差込み、ナット（図示せず）を用いて固定することができる。
【００３２】
図（１ａ〜１ｄ）の実施形態の例では、テンショニングエレメント（１）がジャンピングマットに固定されている場合に、両保持エレメント（３ａ）がフレーム（２０）へ殆ど同じ間隔になるように配列される。それに対し、保持エレメント（３ｂ）は、保持エレメント（３ａ）よりもフレーム（２０）へ近く配置される。
【００３３】
テンショニングエレメント（１）をジャンピングマット（１５）に固定するには、ピン（１７）受入れ用の開口（６）各１個を備えた２つのエクステンション（５）が必要である（図４を参照）。テンショニングエレメント（１）は、それによって、例えば、ジャンピングマット（１５）に付帯するラグ（２０）に、図４にあるように固定することができる。
【００３４】
図（２ａ〜２ｄ）は、図１からのテンショニングエレメントの保持エレメント（３ｂ）を有しない概観図である。図２ｃで識別可能なように、テンショニングエレメント（１）のベースボディ（２）には、３つの通し開口（１３、１４）がある。開口（１４）は、ボルトの通しに使用され、開口（１３）は、図（３ａ〜３ｄ）で図示されるように、保持エレメント（３ｂ）のピン（１１）の受け止め用に使用される。保持エレメント（３ｂ）は、それによって、ベースプレート（２）上の所定の位置にだけ設置することができる。図（３ａ〜３ｄ）の実施形態の例では、保持エレメント（３ｂ）は、取付け状態においてそれぞれ開口（１３）に差し込まれて回転防止に使用される２つのピン（１１）を含む。単一のピン仕様も可能である。
【００３５】
図（３ａ〜３ｄ）は、テンショニングエレメント（１）のベースボディ（２）に固定可能な保持エレメント（３ｂ）の実施形態を示す。保持エレメント（３ｂ）は、基本的にシリンダー形状ボディで、凹型側壁を備える。保持エレメント（３ｂ）の自由端は、両側面が平らになっている。これらの平面は、工具、例えばキーレンチ用の支え面（１２）、として使用される。
【００３６】
保持エレメント（３ｂ）の自由端には更に、六角ナットの受け止め用の開口（９）と、ボルトの通し用の開口とがある。保持エレメント（３ｂ）のベースは、保持エレメント（３ｂ）の自由端の断面より幾分大きめである。
【００３７】
図４は、隣接配列された複数のテンショニングエレメントと、柔軟ロープ（１８）を用いたジャンピングマット（１５）の各種の張力可能性と、を示す。図の左側に示されたテンショニングエレメント（１）において、柔軟ロープ（１８）は、両保持エレメント（３ａ）に掛けられる。ロープ（１８）で形成されたループ（２１ａ）は、その場合比較的大きく、ジャンピングマット（１５）に掛かる張力もそれに合わせて大きくなる。
【００３８】
図の中央に示されたテンショニングエレメント（１）において、柔軟ロープ（１８）は、保持エレメント（３ｂ）だけに掛けられる。ロープ（１８）で形成されたループ（２１ｂ）は、その場合比較的小さく、ジャンピングマット（１５）に掛かる張力もそれに合わせて小さくなる。
【００３９】
図の右側に示すように、ロープエンドがクランプでループを形成しており、右側テンショニングエレメント（１）の保持エレメント（３ａ）に掛けられる。
【００４０】
この図示の状態からマットの張力を増加するには、ユーザは、中央ロープ（１８）のループを保持エレメント（３ｂ）から外して、例えば、左側テンショニングエレメント（１）で示されるのと同様に、両方の保持エレメント（３ａ）に掛けられる。これはとても簡単で、特に工具を必要とせずに問題なく実行可能である。
【００４１】
図５ａ及び図５ｂは、テンショニングエレメント（１）のその他の実施形態を示し、そこでは保持エレメント（３ａ、３ｃ）がテンショニングエレメント（１）の対向面に配列される。この例では、２つの保持エレメント（３ａ）がプレート形状ベースボディ（２）の上部側、１つの保持エレメント（３ｃ）が下部側に設置される。保持エレメント（３ｃ）は、脱着可能なようにベースボディ（２）に固定される。
【００４２】
保持エレメント（３ａ、３ｃ）は、テンショニングエレメント（１）がジャンピングマットに固定されている場合、トランポリンのフレーム（１６）に対してすべて同様の間隔を保持する。３つの保持エレメント（３ａ、３ｃ）は一線上に並んでいる。
【００４３】
固定手段（５）の固定点（６）は、対向に配列された２つの保持エレメントの保持断面間の真中央に位置する。開口（６）は、そのためにベースボディ（２）と同レベル上にある。
【００４４】
図５ａ及び図５ｂに図示する実施形態では、その他の保持エレメント（３ｂ）（図示せず）を固定点（１４）に更に配列することができる。保持エレメント（３ｂ）は、その場合、他の保持エレメント（３ａ、３ｃ）よりもフレーム（１６）に近くなる。ロープの張力は、それによってより詳細に可変することができる。
【図１ａ】
2016534849.tif 000003
【図１ｂ】
2016534849.tif 000004
【図１ｃ】
2016534849.tif 000005
【図１ｄ】
2016534849.tif 000006
【図２ａ】
2016534849.tif 000007
【図２ｂ】
2016534849.tif 000008
【図２ｃ】
2016534849.tif 000009
【図２ｄ】
2016534849.tif 000010
【図３ａ】
2016534849.tif 000011
【図３ｂ】
2016534849.tif 000012
【図３ｃ】
2016534849.tif 000013
【図３ｄ】
2016534849.tif 000014
【図４】
2016534849.tif 000015
【図５ａ】
2016534849.tif 000016
【図５ｂ】
2016534849.tif 000017
【国際調査報告】
2016534849.tif 000018
2016534849.tif 000019
2016534849.tif 000020
2016534849.tif 000021